(57)【特許請求の範囲】
【請求項１】
編物、織物または不織布により形成された筒状物の内部に培養物が充填されている長尺の植栽基盤形成体を、所定の２次元的空間形状を有する型枠内に折曲げないしは巻回しして充填して、２次元的外形輪郭を賦形した後に、該型枠を取り除き、しかる後、所望する地被植物を、前記外形輪郭を賦形された植栽基盤形成体上に置いて根付かせることにより、該植栽基盤形成体と該植栽基盤形成体の一面を覆っている地被植物が一体化されていて、かつ、該地被植物が覆っている該植栽基盤形成体の面の面積が０．１〜１．１ｍ2 であるユニット型植裁基盤を、被施工面に複数個敷き詰めることにより植栽の形成を行うことを特徴とする植裁の形成方法。
【請求項２】
編物、織物または不織布により形成された筒状物の内部に培養物が充填されている長尺の植栽基盤形成体を、所定の２次元的空間形状を有する型枠内に折曲げないしは巻回しして充填して、２次元的外形輪郭を賦形した後に、所望する地被植物を前記外形輪郭を賦形されている前記植栽基盤形成体上に置いて根付かせ、しかる後、該型枠を取り除き、該植栽基盤形成体と該植栽基盤形成体の一面を覆っている地被植物が一体化されていて、かつ、該地被植物が覆っている該植栽基盤形成体の面の面積が０．１〜１．１ｍ2 であるユニット型植裁基盤を、被施工面に複数個敷き詰めることにより植栽の形成を行うことを特徴とする植裁の形成方法。
【請求項３】
前記筒状物が、編糸としてポリエステルマルチフィラメントの仮撚加工糸を用いてなる編物により形成されたものであることを特徴とする請求項１または２記載の植裁の形成方法。
【請求項４】
外形輪郭が相違するユニット型植裁基盤を、前記所望の被施工面に複数個敷き詰めることを特徴とする請求項１〜３のいずれかに記載の植裁の形成方法。
【発明の詳細な説明】
【技術分野】
【０００１】
本発明は植栽の形成方法に関する。
【０００２】
さらに詳しくは、緑化形成に関わるユニット型というべき植栽基盤（以下、ユニット型植栽基盤という）を用いた植栽の形成方法に関する。
【０００３】
具体的には、たとえばビルの屋上やアスファルト路面脇またはその他の場所、特に緑化をしたいと所望する場所等に芝生などの地被植物の植栽を形成させて、そうした場所の緑化を実現するのに効果的に採用できる植栽の形成方法に関する。
【背景技術】
【０００４】
近年、ヒートアイランド現象の発生などに伴い、その対策の一環として敷地面積９，０００ｍ2 以上、または建築面積３，０００ｍ2 以上の特定工場には、敷地内または建造物屋上に緑化部分を作ることが義務化された。
【０００５】
また、東京都などの都心部では、工場以外の建物にも緑化の義務が課せられたことにより緑化の需要が高まっている。
【０００６】
しかし、ビルの屋上やアスファルト上などの直接には植物が育つ環境でない場所には、植栽基盤を形成させる必要があり、建築以外に更なる手間とコストがかかることになった。
【０００７】
一般に、建物の上に植栽基盤を作る場合、建物屋上に防根・防水シートを敷き、その上に培養土を敷き詰めれば植栽基盤として成り立つが、培養土のみの場合、植物が適正に育つためには相当な量の培養土が必要とされる。
【０００８】
すなわち、一般に、芝生においては深さ約３０ｃｍの土壌が必要であり、一般的な培養土を使用した場合、重量が重く厚みのある植栽基盤となってしまう。このため、建物の耐久性を考えての建築設計や植栽基盤の軽量化設計が必要となる。更に、乾燥した培養土が風によって周囲に飛散し環境上の問題も招来する。
【０００９】
また、施工後の植物の管理にも問題があり、例えば、芝生の場合、人が多く足を踏み入れる場所は芝が育ちにくいことが問題となっている。
【００１０】
たとえば、先行技術として、軽量化をねらったものとして、最下部に形成された保水層と、該保水層の上面に敷設された不織布からなる透水層と、該透水層の上面に形成された客土層とを備え、該保水層は多数の籾殻を有するという植生培地構造と緑化用マットが提案されている（特許文献１）。この提案のものは、保水層の保水量を大きくすることができ植生の管理が容易となり、また、籾殻により形成される保水層は軽量であるため、植生培地構造全体を軽量化することができる。
【００１１】
また、保水層を使用し、該保水層を軽量化することにより植栽基盤全体を軽量化する緑化システムも多く提案されている（特許文献２−４）。
【００１２】
しかし、特許文献１−４のいずれも、十分な軽量化ができていないかあるいは軽量化ができていても厚みがありすぎることなどが問題であった。しかも、施工できる場所が限定されることが多かった。
【００１３】
また、先に本発明者らは、ビルの屋上、その他適当な場所に植物を植えて生育させるため、ビルに大きな負担がかからず、施工も簡単な植栽地盤を形成する繊維構造体として、編物で構成される筒状生地に培養土を充填して繊維構造体とし、そしてＪＩＳ Ｌ１０１８ ８．１０に基づいて求めた編物生地のカバーファクター値を５〜２０とし、繊維構造体の上に芝生などを載置するだけで編目を通過して根が内部に進入できる繊維構造体と該繊維構造体を使用した植栽地盤を提案した（特許文献５）。
【００１４】
しかし、この特許文献５で提案されている方法は、軽量化や厚みの問題は解決されているにしても、植物が枯れてしまった場合に一部分を取り除くことや、不必要になった場合に撤去することが困難であり、施工後の問題を解決できていなかった。また、植栽地盤を、緑化を所望する箇所に載置してから植栽を形成させるものであるため、緑化が完成したと言えるまでになるには植物の生育に対応した期間や管理が必要であり、結局はビルの屋上の緑化手法としては不十分ものであった。
【００１５】
このようなことから、十分に満足できる緑化手法は、いまだ得られていないのが現状であった。
【先行技術文献】
【特許文献】
【００１６】
【特許文献１】特開２００３−３２５０３７号公報
【特許文献２】特開２００２−１２５４５２号公報
【特許文献３】特開２００２−０８４８８９号公報
【特許文献４】特開２００３−２１００３４号公報
【特許文献５】特開２００８−２８９３９３号公報
【発明の概要】
【発明が解決しようとする課題】
【００１７】
本発明の目的は、上述したような点に鑑み、従来の植栽地盤を用いて植栽を形成する方法の問題を解決し、たとえば、ビルの屋上やアスファルト路面脇またはその他の場所、特に緑化をしたいと所望する場所等に芝生などの地被植物の植栽をごく短期間で形成させて、そうした場所での緑化を実現するのに効果的に使用できる植栽の形成方法を提供することにある。
【課題を解決するための手段】
【００１８】
かかる課題を解決するために、本発明の植裁の形成方法は、以下の（１）の構成または（２）の構成からなる。
（１）編物、織物または不織布により形成された筒状物の内部に培養物が充填されている長尺の植栽基盤形成体を、所定の２次元的空間形状を有する型枠内に折曲げないしは巻回しして充填して、２次元的外形輪郭を賦形した後に、該型枠を取り除き、しかる後、所望する地被植物を、前記外形輪郭を賦形された植栽基盤形成体上に置いて根付かせることにより、該植栽基盤形成体と該植栽基盤形成体の一面を覆っている地被植物が一体化されていて、かつ、該地被植物が覆っている該植栽基盤形成体の面の面積が０．１〜１．１ｍ2 であるユニット型植裁基盤を、被施工面に複数個敷き詰めることにより植栽の形成を行うことを特徴とする植裁の形成方法。
（２）編物、織物または不織布により形成された筒状物の内部に培養物が充填されている長尺の植栽基盤形成体を、所定の２次元的空間形状を有する型枠内に折曲げないしは巻回しして充填して、２次元的外形輪郭を賦形した後に、所望する地被植物を前記外形輪郭を賦形されている前記植栽基盤形成体上に置いて根付かせ、しかる後、該型枠を取り除き、該植栽基盤形成体と該植栽基盤形成体の一面を覆っている地被植物が一体化されていて、かつ、該地被植物が覆っている該植栽基盤形成体の面の面積が０．１〜１．１ｍ2 であるユニット型植裁基盤を、被施工面に複数個敷き詰めることにより植栽の形成を行うことを特徴とする植裁の形成方法。
【００１９】
これら（１）または（２）の本願発明の植栽の形成方法において、具体的に好ましい態様として、以下の（３）または（４）に記載の構成とするのがよい。
（３）前記筒状物が、編糸としてポリエステルマルチフィラメントの仮撚加工糸を用いてなる編物により形成されたものであることを特徴とする上記（１）または（２）記載の植裁の形成方法。
（４）外形輪郭が相違するユニット型植裁基盤を、前記所望の被施工面に複数個敷き詰めることを特徴とする上記（１）〜（３）のいずれかに記載の植裁の形成方法。
【発明の効果】
【００２０】
本発明の植栽の形成方法によれば、たとえばビルの屋上やアスファルト路面脇またはその他の場所等で、本来、土壌がない場所で、特に緑化を所望して行うに当たり、その所望する場所に芝生などの地被植物の植栽をごく短期間で完成して形成させることができる。
【００２１】
すなわち、本発明の植栽の形成方法によれば、本来、ビルの屋上やアスファルト路面脇などの土壌がない場所で、特に緑化を実現するのに好適に採用できる植栽の形成方法が提供される。
【００２２】
本発明の植栽の形成方法によれば、一般に土壌がない場所で植栽を形成させる場合と比較して、植栽基盤（地盤）の重量・厚みを小さいものとして形成することができ、施工場所も特に限定されない。したがって、緑化工事の施工が可能な場所を広げ、また、施工後の管理や撤去も容易にできる植栽が提供される。また、本発明の方法を用いることにより、従来はできなかった場所やデザインでの緑化を可能にする植栽方法が提供される。
【００２３】
本発明の植栽方法によれば、地被植物を生育させたい場所に、ユニット型植栽基盤を、該生育希望場所の面積に応じて複数個用意して、目的とする面積分の数を敷き詰めることで即座に緑地を完成させることができる。
施工に際しては、外形輪郭が相違するユニット型植裁基盤を２個以上敷き詰めると、よりデザイン性に優れた緑化を行うことができる。その場合、地被植物の種類を外形輪郭に応じて相違するものとしてもよく、よりデザイン性に優れた緑化も自由にできるという利点がある。
【００２４】
本発明の植栽の形成方法によれば、敷地の形状や他の植栽、さらに建物や通行路等に適宜かつ自在にマッチさせて所望する植栽を形成することができる。
【００２５】
本発明の植栽の形成方法によれば、植栽基盤形成体と地被植物が一体化したまま１ユニットごとに撤去することが可能であるため、緑地（植栽）が不要となったときは撤去することが容易であり、また部分的に撤去することも可能である。撤去されたユニット型植栽基盤は廃棄することもできるが、一体化したまま撤去しているため、そのまま別の場所で再利用することも可能である。
【図面の簡単な説明】
【００２６】
【図１】本発明の植栽の形成方法に使用される植裁基盤形成体を形成する編物、織物または不織布で形成された筒状物の内部に培養物を充填するときの一例状態を説明する概要図である。
【図２】本発明の植栽の形成方法に使用されるユニット型植栽基盤の形成に使用する植裁基盤形成体の一例を示した正面である。
【図３】本発明の植栽の形成方法に使用されるユニット型植裁基盤の一例を示した斜視図である。
【図４】本発明の植栽の形成方法に使用されるユニット型植裁基盤の一例を示した断面図である。
【図５】本発明の植栽の形成方法に使用されるユニット型植栽基盤の一例を示した断面図である。
【図６】本発明の植栽の形成方法に使用されるユニット型植栽基盤に使用できる植裁基盤形成体を渦巻状にして形成した一例を示した植栽基盤の正面図である。
【図７】本発明の植栽の形成方法に使用されるユニット型植栽基盤に使用できる植裁基盤形成体を三角形状にして形成した一例を示した植栽基盤の正面図である。
【図８】本発明にかかる植栽基盤形成体を一直線に延ばしたときの一例構造を示した正面図である。
【図９】本発明の植栽の形成方法に基づいて、ユニット型植裁基盤を並べて緑地（植栽）を完成させたときの一例を示したものである。
【図１０】本発明の植栽の形成方法に基づいて、ユニット型植裁基盤を並べて緑地（植栽）を完成させたときの他の一例を示したものである。
【図１１】本発明の植栽の形成方法に基づいて、ユニット型植裁基盤を並べて緑地（植栽）を完成させたときの他の一例を示したものである。
【発明を実施するための形態】
【００２７】
以下、本発明の植裁の形成方法について、図面等を参照しながら詳細に説明する。
【００２８】
本発明の植裁の形成方法は、編物、織物または不織布により形成された筒状物の内部に培養物が充填されている長尺の植栽基盤形成体を、所定の２次元的空間形状を有する型枠内に折曲げないしは巻回しして充填して、２次元的外形輪郭を賦形した後に、該型枠を取り除き、しかる後、所望する地被植物を、前記外形輪郭を賦形された植栽基盤形成体上に置いて根付かせることにより、該植栽基盤形成体と該植栽基盤形成体の一面を覆っている地被植物が一体化されていて、かつ、該地被植物が覆っている該植栽基盤形成体の面の面積が０．１〜１．１ｍ2 であるユニット型植裁基盤を、被施工面に複数個敷き詰めることにより植栽の形成を行うことを特徴とする。
あるいは、本発明の植裁の形成方法は、編物、織物または不織布により形成された筒状物の内部に培養物が充填されている長尺の植栽基盤形成体を、所定の２次元的空間形状を有する型枠内に折曲げないしは巻回しして充填して、２次元的外形輪郭を賦形した後に、所望する地被植物を前記外形輪郭を賦形されている前記植栽基盤形成体上に置いて根付かせ、しかる後、該型枠を取り除き、該植栽基盤形成体と該植栽基盤形成体の一面を覆っている地被植物が一体化されていて、かつ、該地被植物が覆っている該植栽基盤形成体の面の面積が０．１〜１．１ｍ2 であるユニット型植裁基盤を、被施工面に複数個敷き詰めることにより植栽の形成を行うことを特徴とする。
【００２９】
本発明に使用できるユニット型植栽基盤は、図１に示したように、編物、織物または不織布の生地により形成された筒状物１に培養物２を充填し、図２に示すように敷かれた植栽基盤形成体３と、目的とする芝などの地被植物４が図３に示したように一体化されているユニット型と言うべき植栽基盤５であり、１ユニットの表面部の面積Ｓ（図３に示したように、該１ユニットの表面部の長さａ、幅bとして、Ｓ＝ａ×ｂ）が０．１〜１．１ｍ2 であることを特徴とする。
【００３０】
また、該ユニット型植栽基盤は、植栽基盤形成体と地被植物が一体化していることが重要である。その植栽基盤と植物が一体化する原理は、培養物を充填した前記筒状の編物などからなる筒状物に、目的とする地被植物を載せることにより、該地被植物の根が筒状の生地の上部表面から生地の間隙を通して根が入り込み培養物の中に広がり、さらには生地表面全体まで根が張りめぐり、全体として一体化されることになる。そうなると、地被植物と植栽基盤形成体を容易に剥がすことはできなくなり、一体化したユニット型植栽基盤となるのである。
【００３１】
本発明のユニット型植栽基盤１ユニットの面積Ｓは０．１〜１．１ｍ2 であることが必要である。０．１ｍ2 未満となると、１ユニットのサイズが小さすぎるため、作製時や運搬時などに手間がかさみコストが高くなってしまい好ましくなく、１．１ｍ2 を超えるものとなると、サイズが大きいことから、植栽基盤と植物が安定して一体化しない場合があることや、運搬・持運びが不便になることが問題になる。ここで、「植栽基盤１ユニットの面積Ｓ」とは、一個のユニット型植栽基盤の地被植物が覆っている一面を平面視したときの面積をいう。地被植物が完璧に覆っていない部分があっても、該部分を含めてその一つの面の面積を求めるものである。
【００３２】
この１ユニットの表面積Ｓは、適度に広い方が効率的なことから、０．２〜１．０ｍ2 が好ましく、さらに０．２〜０．８ｍ2 がより好ましく、さらに、家庭園芸作業のように特に簡易に施工ができる点を加味すると０．３〜０．６ｍ2 であることがより好ましい。
【００３３】
また、筒状物４の内部に培養物が充填された植栽基盤形成体の状態で、筒状物の長さ方向に対して垂直な断面積Ｎ、つまり培養物を充填した筒状の生地の太さ（面積）は２０〜１５０ｃｍ2 であることが好ましい。
【００３４】
培養物を充填した筒状物を並べると、図４のように隙間６ができるのが一般的である。この隙間６があることにより、培養物に余分な水分を溜まらせない排水効果や、培養物に新しい空気を送る役割を果たすことができる。１５０ｃｍ2 よりも大きいものになると培養物の体積に対して隙間６の割合が少なくなりすぎるため、根腐りを起こし植物が枯れてしまう。２０ｃｍ2 以下になると、植栽基盤の厚みが確保できず植物が健全に栽培できなくなることや、作業効率が悪くなる問題が発生する。
【００３５】
この断面積Ｎは、２５〜１２０ｃｍ2 であることが好ましく、３０〜１００ｃｍ2 であることがより好ましい。
【００３６】
なお、ユニット型植栽基盤を作製すると、図４のように隙間６ができるため、断面積Ｎは、図５に示すようにＡ、Ｂ、Ｃに分割し次のようにして求めることができる。
【００３７】
Ｎ＝Ａ＋２Ｂ＋４Ｃ＝ｃ×ｄ＋２×ｅ×ｆ＋ｅ2×π
あるいはまた、適宜の手段で形態を保持したまま、断面積を実測して求めることができる。
【００３８】
また、本発明において断面積は、ｎ数を５として、筒状物の一端から他端側にほぼ均等な間隔になるようにして５箇所の断面積を求めて平均するものである。
【００３９】
また、ユニット型植栽基盤の厚みＭは、図３、図４に示した如く、４〜１０ｃｍであることが好ましい。４ｃｍ未満である場合、地被植物を健全に栽培することができず、１０ｃｍよりも大きいものの場合、施工時に持ち運びが不自由になることや、設置した該植栽基盤と地面との段差が大きくなりすぎるなどの問題が発生する。
【００４０】
また、ユニット型植栽基盤は、外形輪郭は四角形に限定されるものではなく、図６のような円形や、図７のような三角形など、あるいは図示していない台形状や楕円形状やひょうたん形状など、どのような形のものにもすることができる。そのような各種の形状に賦形して形成するには、例えば、所望の外形に対応した木製等の型枠材を作製し、その型枠材の中に長い植栽基盤形成体（培養物が充填されている筒状物）をぐるぐると巻くようにしてもしくはジグザグ状にして、あるいはそれらを組み合わせて、該基盤形成体の外側面どおしが接するようにぴったりと載置して、その上に芝生などの所望の地被植物を一定期間置いて、型内の植栽基盤形成体の全体にしっかりと根付かせ、しかる後、型枠材から取り出すこと等により形成することができる。
【００４１】
あるいは、上記の型枠材の中に長い植栽基盤形成体を上述のように載置して後、型枠材を取り除き、その形付けられた植栽基盤形成体の上に芝生などの所望の地被植物を一定期間置いて、型内植栽基盤形成体の全体にしっかりと根付かせて形成してもよい。どの方法でユニット型植栽基盤を作製する場合においても、型枠に植栽基盤形成体を敷き詰めた後、型枠と同程度以上の大きさの板を載せて上から押し潰すことにより、賦形がしっかりとなされると共に植栽基盤の高さが型枠と同じ厚みとなり、全てのユニットの厚みを整えることができる。また、ローラーをかける、足で踏み固めるなどをして厚みを整えてもよい。
【００４２】
ユニット型植栽基盤は、型枠によってその外形輪郭が賦形されており、それにより、ほぼ一定の形状と大きさで、ユニット型植栽基盤を多数製造することができる。
【００４３】
また、場合によって、該ユニット型植栽基盤がその型枠材ごとそのまま施工場所に置かれるようなものとしてもよく、例えば、煉瓦模様のデザインが施されている型枠材や、丸太状などの天然木材が使用された型枠材などとして、その型枠材ごと施工できるようにすることも好ましい。また、型枠材は、平面状あるいはネット状などの底面を有するものを使用してもよい。
【００４４】
型枠材の内側に、植栽基盤形成体の外側面どおしが接するようにして載置するに際しては、全体をより一体的に強固にしっかりと作成できることから、円形状や楕円形状の場合には、ある程度強く引きながらぐるぐると巻くようにして形成するのがよい。なお、ただし、図６や図７のように四角形でない植栽基盤は、表面の面積Ｓを単純に計算できないものもある。そのため、培養物を充填した筒状生地を敷き詰め、形を作った植栽基盤の表面の面積Ｓと、その形作った植栽基盤を崩し、図８のように培養物を充填した生地を一直線に伸ばしたときの上部表面の面積が同じになることより、Ｓ＝ｇ×Ｋで求めるとよい。
【００４５】
本発明に用いられるユニット型植栽基盤に使用する筒状物を形成する編物などの生地は、筒状物であれば織物、編物または不織布のいずれも使用することができる。織物、編物または不織布のいずれの場合でも隙間があるため、培養物が織物、編物、不織布に覆われた状態で水を通し、培養物に保水されることができ、水分の蒸発を防ぐこともできる。そのため、保水層を必要とせず厚みを軽減させることができる。
【００４６】
織物は強度的に優れ、編物は伸縮性に優れ、不織布はコスト的に優れているという特徴がそれぞれにあり、用途により使い分けすることができる。その中でも、多くの場合、編物である丸編地を使用することが好ましい。丸編地は特殊なことをせずとも筒状物に仕上がり、その生地は伸縮性があることから取り扱いやすく、十分な強度があり、かつ、植栽した植物の根も張りやすいので、本発明に好適である。
【００４７】
織物、編物ともに製布後、縫製や融着することにより、筒状物に仕上げることは可能だが、生産効率を考えると下記のような製布方法が好ましい。
【００４８】
織物は、緯糸が連続しているシャトル織機や円形織機で筒状物を作製することができる。編物は、経編地と緯編地の２種類あるが、経編地はダブルラッセル機を使用し筒状の生地を作製することができる。緯編地は、針床が２個以上ある横編機や、シングル丸編機、ダブル丸編機などのすべての丸編機で筒状物を作製することができる。丸編地は、編機の釜径により筒状生地の径が変わるため、１０インチ以下の丸編機を使用することが好ましい。また、織物、編物ともに、筒状物であるということが満たされれば、特に組織は限定されない。
【００４９】
不織布は、用いる繊維に応じて湿式法、乾式法、直接式法から選んで製布後、融着して筒状の生地を作製することができる。
【００５０】
充填する培養物は、養分保持率、保水性に優れたものが好ましく、赤玉土、黒土、鹿沼土等の自然土や、腐葉土、パーク堆肥、バーミキュライト、ピートモス等の人工土や、その他、オガクズ、炭、石炭の燃えカス等を場所や植物によって混合を含めて適宜使い分けて使用すればよい。
【００５１】
本発明の上述したユニット式植栽基盤を用いた植栽方法は、地被植物を生育させたい場所に上記で説明したユニット型植栽基盤を、該生育希望場所の面積に応じて複数個用意して、目的とする面積分の数を敷き詰めることで図９のように緑地を完成させるものである。
施工に際しては、外形輪郭が相違するユニット型植裁基盤を２個以上敷き詰めると、よりデザイン性に優れた緑化（植栽の形成）を行うことができる。その場合、地被植物の種類を外形輪郭に応じて相違するものとしてもよい。
【００５２】
図１０、図１１は、外形輪郭が相違するユニット型植裁基盤を２個以上敷き詰めて、全体としてよりデザイン性に富んだ植栽を形成させた例をモデル的に示した平面図である。このようにしてユニット型植栽基盤を用いれば、敷地の形状や他の植栽、さらに建物や通行路等に適宜かつ自在にマッチさせて所望する植栽を形成することができる。
【００５３】
また、前述したように特にデザインされた型枠材を採用して型枠材ごとに載置して緑化するようにしてもよい。
【００５４】
本発明の植栽の形成方法によれば、植栽基盤形成体と地被植物が一体化したまま１ユニットごとに撤去することが可能であるため、緑地が不要となったときは撤去することが容易であり、また部分的に撤去することも可能である。撤去したユニット型植栽基盤は廃棄することもできるが、一体化したまま撤去しているため、そのまま別の場所で再利用することも可能である。
【００５５】
さらに、施工後、部分的に植物が枯れてしまった場合においても、枯れた植物が付いたユニット型植栽基盤と、新しいユニット型植栽基盤とを交換することにより容易にかつ短期間に正常な緑地にすることができる。
【００５６】
また、緑化には芝生を用いることが多いが、人の通り道になる部分は芝が剥げてしまう問題が起こる。その場合においても、剥げかけた芝生のユニットと正常な芝生のユニットとを交換し、剥げかけた芝生を足の踏み入れのない場所でしばらく置いておき、芝生を復活させる方法もとれる。
【００５７】
植裁させる地被植物の種類としては、特に限定されるものではなく、コウライシバ、ノシバなどの芝類、メキシコマンネングサ、モリムラマンネングサ、サカサマンネングサ、コーラルカーペットなどのセダム類、ラベンダー、サントリナ、ローズマリーなどのハーブ類、ヘデラ類など、背丈の低いさまざまな草花を育成することができ、特に、植栽させる土地の全面に敷き詰めるように植栽を形成したい芝類や背丈の低い草花、草本などに有効なものである。
【実施例】
【００５８】
以下、実施例に基づいてさらにくわしく説明するが、本発明はこれら実施例に限定されるものではない。
【００５９】
実施例１
ポリエステル１６７デシテックス、４８フィラメントの仮撚加工糸を使用し、釜径３．５インチ、２２ゲージの丸編機で作製した筒状の編物生地に、市販の培養土を充填し、図２に示したように、平面図が四角形状で１ユニットの一片ａが０．７５ｍ、もう一片ｂが０．６ｍで面積０．４５ｍ2 の植栽基盤形成体と、型枠を使い、図７のように三角形で筒状生地の幅ｇが０．０７５ｍ、筒状生地の長さＫが８．５ｍで面積０．６４ｍ2 の植栽基盤形成体を作製した。型から外したこの植栽基盤形成体の上面に芝生を載せ、２週間を置き根付かせて、本発明にかかるユニット型植栽基盤を作製した。このとき、ともに断面積Ｎは約３７ｃｍ2 （ｃ＝６．５ｃｍ、ｄ＝５ｃｍ、ｅ＝０．５ｃｍ、ｆ＝４ｃｍ）、厚さＭが５ｃｍ、芝生の厚みＬが２ｃｍの合計７ｃｍであり、特に厚みは薄かった。
【００６０】
１ユニットのユニット型植栽基盤の重量は、四角形の植栽基盤が２６．１ｋｇ、三角形の植栽基盤が３７．７ｋｇであり、ユニット型植栽基盤形成体と芝生がしっかり一体化していたため、持ち上げても崩れることはなかった。
【００６１】
ビルの屋上に防根シートを敷き、その上に四角形の該ユニット型植栽基盤を１２８個、三角形の該ユニット型植栽基盤１６個を図１０のように敷き詰め、６８ｍ2 の緑地（植栽）を完成させた。この緑地は、施工直後から植栽が元気であり、月４回程度の散水で芝生は枯れることなく成長し、生地から培養土がもれて飛散することもなかった。
【００６２】
実施例２
ポリエステル３３０デシテックス、７２フィラメントの仮撚加工糸を使用し、経糸給糸が５００本の円形織機で作製した筒状織物生地に、市販の培養土を充填し、図２のように四角形で１ユニットの一片ａが０．４ｍ、もう一片ｂが０．６ｍで面積０．２４ｍ2 の植栽基盤形成体を作製し、これに芝生を載せ２週間置き、根付かせてユニット型植栽基盤を作製した。このとき、ともに断面積Ｎは約１１６ｃｍ2 （ｃ＝１１ｃｍ、ｄ＝９ｃｍ、ｅ＝１ｃｍ、ｆ＝７ｃｍ）、厚さＭが９ｃｍ、芝生の厚みＬが２ｃｍの合計１１ｃｍと薄かった。
【００６３】
１ユニットの重量は２２．５ｋｇで、植栽基盤形成体と芝生がしっかり一体化していたため、持ち上げても崩れることはなかった。
【００６４】
幼稚園のグランドに該植栽基盤を図９のように１５０個敷き詰め、３６ｍ2 の緑地（植栽）を完成させた。施工後、月４回程度の散水を行ったが、人の通り道になっていた部分１０ユニットが剥げかけてしまった。剥げかけた１０ユニットと人通りのない１０ユニットを交換すると剥げかけた部分は緑を取り戻した。
【００６５】
実施例３
ポリエステルを原料にサーマルボンド方式にて作製した厚み０．５ｍｍのスパンボンド不織布を幅１０ｃｍにカットし、２枚重ね合わせ端を熱融着させた筒状不織布生地に、市販の培養土を充填し、図２のように四角形で１ユニットの一片ａが１．０ｍ、もう一片ｂが０．８ｍで面積０．８ｍ2 の植栽基盤形成体と図６のように円形で筒状不織布生地の幅ｇが０．０６ｍ、筒状生地の長さＫが２．５ｍで面積０．１５ｍ2 の植栽基盤形成体を作製し、芝生を載せ２週間置き根付かせユニット型植栽基盤を作製した。このとき、断面積Ｎは約２４ｃｍ2 （ｃ＝５ｃｍ、ｄ＝４ｃｍ、ｅ＝０．５ｃｍ、ｆ＝３ｃｍ）、厚さＭが４ｃｍ、芝生の厚みＬが２ｃｍの合計６ｃｍと薄かった。
【００６６】
１ユニットの重量は、四角形の植栽基盤が３９．３ｋｇ、円形の植栽基盤が７．４ｋｇで、植栽基盤と芝生がしっかり一体化していたため、持ち上げても崩れることはなかった。
【００６７】
ビルの屋上に防根シートを敷き、その上に四角形の該植栽基盤５０個、円形の該植栽基盤１０個を図１１のように敷き詰め、４１．５ｍ2 の緑地（植栽）を完成させた。この緑地（植栽）は、施工直後から植栽が元気であり、施工後、月４回程度の散水で芝生は枯れることなく成長し、生地から培養土がもれて飛散することもなかった。
【００６８】
半年後、不要となった８ｍ2 分、１０ユニットの該植栽基盤を容易に取り除くことができた。
【００６９】
比較例１
ポリエステル１６７デシテックス、４８フィラメントの仮撚加工糸を使用し、釜径２インチ、２２ゲージの丸編機で作製した筒状編物生地に、市販の培養土を充填し、図２のように四角形で１ユニットの一片ａが０．２ｍ、もう一片ｂが０．３ｍで面積０．０６ｍ2 の植栽基盤形成体を作製し、芝生を載せ２週間置き根付かせユニット型植栽基盤を作製した。このとき、断面積Ｎは約１４ｃｍ2 （ｃ＝３ｃｍ、ｄ＝３ｃｍ、ｅ＝０．５ｃｍ、ｆ＝２ｃｍ）、厚さＭが３ｃｍ、芝生の厚みＬが２ｃｍの合計５ｃｍと薄かった。
【００７０】
１ユニットの重量は２．４ｋｇで、植栽基盤と芝生がしっかり一体化していたため、持ち上げても崩れることはなかった。
【００７１】
ビルの屋上に防根シートを敷き、その上に該植栽基盤を図９のように５００個敷き詰め、３０ｍ2 の緑地（植栽）を完成させた。施工面積の対して該植栽基盤の個数が多かったため、作業にかなりの時間を要し作業効率が悪かった。施工後、月４回程度の散水をしたが芝生が枯れる箇所が多々あった。
【００７２】
比較例２
ポリエステル４４０デシテックス、９６フィラメントの仮撚加工糸を使用し、経糸給糸が５００本の円形織機で作製した筒状織物生地に、市販の培養土を充填し、図２のように四角形で１ユニットの一片ａが１．２ｍ、もう一片ｂが１．０ｍで面積１．２ｍ2 の植栽基盤形成体を作製し、芝生を載せ２週間置き根付かせユニット型植栽基盤を作製した。このとき、断面積Ｎは約１６４ｃｍ2 （ｃ＝１３ｃｍ、ｄ＝１１ｃｍ、ｅ＝１ｃｍ、ｆ＝９ｃｍ）、厚さＭが１１ｃｍ、芝生の厚みＬが２ｃｍの合計１３ｃｍと厚かった。
【００７３】
１ユニットの重量は１３３．６ｋｇで持ち上げると、芝生と植栽基盤形成体が剥がれてしまい運ぶことができなかった。
【００７４】
比較例３
ポリエステル１６７デシテックス、４８フィラメントの仮撚加工糸を使用し、釜径３．５インチ、２２ゲージの丸編機で作製した筒状編物生地に、市販の培養土を充填し、図２のように四角形で１ユニットの一片ａが１．５ｍ、もう一片ｂが０．８ｍで面積１．２ｍ2 の植栽基盤形成体を作製し、芝生を載せ２週間置き根付かせてユニット型植栽基盤を作製した。このとき、ともに断面積Ｎは約３７ｃｍ2 （ｃ＝６．５ｃｍ、ｄ＝５ｃｍ、ｅ＝０．５ｃｍ、ｆ＝４ｃｍ）、厚さＭが５ｃｍ、芝生の厚みＬが２ｃｍの合計７ｃｍと薄かった。
【００７５】
１ユニットの重量は６９．６ｋｇで、持ち上げると植栽基盤と芝生が剥がれることはなかったが、植栽基盤が折れ曲がってしまった。
【００７６】
ビルの屋上に防根シートを敷き、その上に該植栽基盤を図９のように５０個敷き詰め、６０ｍ2 の緑地を完成させた。１ユニットの重量が重く折れ曲がるため、運搬に時間を要し作業効率が悪かった。施工後、月４回程度の散水で芝生は枯れることなく成長し、生地から培養土がもれて飛散することもなかった。
【符号の説明】
【００７７】
１：編物、織物または不織布の生地で構成された筒状物
２：培養物
３：植栽基盤形成体
４：地被植物
５：植栽基盤と植物が一体化したユニット型植栽基盤
６：植栽基盤形成体間の隙間
７：レンガ
Ａ：培養物を充填した筒状生地の断面の一部の面積
Ｂ：培養物を充填した筒状生地の断面の一部の面積
Ｃ：培養物を充填した筒状生地の断面の一部の面積
Ｋ：培養物を充填した筒状生地の長さ
Ｌ：植物層の厚み
Ｍ：植栽基盤形成体の厚み
Ｎ：培養物を充填した筒状生地の断面積
Ｓ：１ユニットの表面積
ａ：ユニット型植栽基盤の一辺の長さ
ｂ：ユニット型植栽基盤の他の一辺の長さ
ｃ：培養物を充填した筒状生地の断面の一部の面積Ａの一辺の長さ
ｄ：培養物を充填した筒状生地の断面の一部の面積Ａの他の一辺の長さ
ｅ：培養物を充填した筒状生地の断面の一部の面積Ｂの一辺の長さおよび培養物を充填    した筒状生地の断面の一部の面積Cの半径
ｆ：培養物を充填した筒状生地の断面の一部の面積Ｂの他の一辺の長さ
ｇ：培養物を充填した筒状生地を円形または三角形に敷き詰めたときの、筒状生地の幅
【図１】
0005504202.tif 000002
【図２】
0005504202.tif 000003
【図３】
0005504202.tif 000004
【図４】
0005504202.tif 000005
【図５】
0005504202.tif 000006
【図６】
0005504202.tif 000007
【図７】
0005504202.tif 000008
【図８】
0005504202.tif 000009
【図９】
0005504202.tif 000010
【図１０】
0005504202.tif 000011
【図１１】
0005504202.tif 000012